【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
原稿の画像を読み取る画像読取装置において、
原稿が載置されるべき透明部材と、前記透明部材上に載置された原稿の画像を読み取る読取部と、を含む読取ユニットと、
前記読取ユニットに対して回動可能に設けられた原稿搬送ユニットであって、前記透明部材の上面が前記原稿搬送ユニットによって覆われる第１の位置と前記透明部材の上面が露出される第２の位置との間を回動可能な原稿搬送ユニットと、
を有し、
前記原稿搬送ユニットは、
原稿を搬送する搬送部と、
前記搬送部を駆動するモータと、
前記画像読取装置の外部から無線通信によって情報を受信する通信ユニットが取り付けられる取付部と、
を備え、
前記原稿搬送ユニットが前記第１の位置に位置している状態において、前記原稿搬送ユニットの回動軸に垂直且つ前記原稿が載置される前記透明部材の面に平行な第１方向において、前記原稿搬送ユニットの中心は、前記モータが設けられる位置と前記取付部が設けられる位置との間に位置していることを特徴とする画像読取装置。
【請求項２】
前記通信ユニットは、前記無線通信によって前記情報を受信するカードリーダであることを特徴とする請求項１に記載の画像読取装置。
【請求項３】
前記通信ユニットが受信する情報は、前記画像読取装置を使用する使用者に関する情報であることを特徴とする請求項１又は２に記載の画像読取装置。
【請求項４】
原稿の画像を読み取る画像読取装置において、
原稿が載置されるべき透明部材と、前記透明部材上に載置された原稿の画像を読み取る読取部と、を含む読取ユニットと、
前記読取ユニットに対して回動可能に設けられた原稿搬送ユニットであって、前記透明部材の上面が前記原稿搬送ユニットによって覆われる第１の位置と前記透明部材の上面が露出される第２の位置との間を回動可能な原稿搬送ユニットと、
を有し、
前記原稿搬送ユニットは、
原稿を搬送する搬送部と、
前記搬送部を駆動するモータと、
前記画像読取装置を使用する使用者に関する情報を受信する通信ユニットが取り付けられる取付部と、
を備え、
前記原稿搬送ユニットが前記第１の位置に位置している状態において、前記原稿搬送ユニットの回動軸に垂直且つ前記原稿が載置される前記透明部材の面に平行な第１方向において、前記原稿搬送ユニットの中心は、前記モータが設けられる位置と前記取付部が設けられる位置との間に位置していることを特徴とする画像読取装置。
【請求項５】
前記通信ユニットは、前記画像読取装置の使用者に関する情報を受信するカードリーダであることを特徴とする請求項３に記載の画像読取装置。
【請求項６】
前記通信ユニットは、無線通信によって前記画像読取装置の使用者に関する情報を受信することを特徴とする請求項４又は５に記載の画像読取装置。
【請求項７】
前記原稿搬送ユニットが前記第１の位置に位置している状態において、前記第１方向において、前記モータが設けられる位置と前記回動軸との間の距離は、前記取付部が設けられる位置と前記回動軸との間の距離よりも短いことを特徴とする請求項１乃至６のいずれか一項に記載の画像読取装置。
【請求項８】
前記画像読取装置は、一端が前記通信ユニットに接続されるケーブルの他端が接続される接続部を有し、
前記原稿搬送ユニットが前記第１の位置に位置している状態において、前記第１方向において、前記接続部は、前記原稿搬送ユニットの中心の位置に関して前記モータと同じ側に設けられることを特徴とする請求項１乃至７のいずれか一項に記載の画像読取装置。
【請求項９】
前記原稿搬送ユニットが前記第１の位置に位置している状態において、前記回動軸に平行な第２方向において、前記原稿搬送ユニットの中心は、前記モータが設けられる位置と前記取付部が設けられる位置との間に位置していることを特徴とする請求項１乃至８のいずれか一項に記載の画像読取装置。
【請求項１０】
前記原稿搬送ユニットは、前記原稿搬送ユニットが回動される際に把持される把持部を有し、
前記原稿搬送ユニットが前記第１の位置に位置している状態において、前記回動軸に平行な第２方向において、前記把持部は、前記原稿搬送ユニットの中心に関して前記モータと同じ側に設けられることを特徴とする請求項１乃至９のいずれか一項に記載の画像読取装置。
【請求項１１】
前記画像読取装置は、前記画像読取装置の動作に関する指示が入力される操作部を有し、
前記原稿搬送ユニットが前記第１の位置に位置している状態において、前記回動軸に平行な第２方向において、前記取付部は、前記原稿搬送ユニットの中心に関して前記操作部と同じ側に設けられることを特徴とする請求項１乃至１０のいずれか一項に記載の画像読取装置。
【請求項１２】
前記画像読取装置は、前記取付部に取り付けられた前記通信ユニットを有することを特徴とする請求項１乃至１１のいずれか一項に記載の画像読取装置。
【請求項１３】
前記読取部は、前記搬送部によって搬送された原稿の画像を読み取ることを特徴とする請求項１乃至１２のいずれか一項に記載の画像読取装置。
【請求項１４】
前記搬送部は前記原稿を搬送する搬送ローラであり、
前記モータは前記搬送ローラを駆動することを特徴とする請求項１乃至１３のいずれか一項に記載の画像読取装置。
【請求項１５】
請求項１乃至１４のいずれか一項に記載の画像読取装置と、
前記画像読取装置によって得られた画像情報に基づいて記録媒体に画像を形成する画像形成部と、
を有することを特徴とする画像形成装置。
【手続補正２】
【補正対象書類名】明細書
【補正対象項目名】０００１
【補正方法】変更
【補正の内容】
【０００１】
本発明は、原稿の画像を読み取る画像読取装置及びこれを具備する画像形成装置に関するものである。
【手続補正３】
【補正対象書類名】明細書
【補正対象項目名】０００５
【補正方法】変更
【補正の内容】
【０００５】
認証装置を原稿搬送装置の所定の場所に配置しようとした時に、適切な位置に配置しないと原稿搬送装置の重心のバランスが崩れてしまうおそれがある。原稿搬送装置は、原稿を読取ガラスに押圧するための原稿圧板を有している。原稿搬送装置の重心が不適切な位置になってしまうと、当該原稿圧板による原稿の押圧が不適切になるおそれがある。原稿圧板による原稿の押圧が不適切だと、原稿が読取ガラスから浮き上がってしまい、原稿の画像の読取不良が発生するおそれがある。
上記課題に鑑み、本発明は、原稿の画像の読取不良が発生することを抑制することを目的とする。
【手続補正４】
【補正対象書類名】明細書
【補正対象項目名】０００６
【補正方法】変更
【補正の内容】
【０００６】
本発明に係る画像読取装置の一態様は、
原稿の画像を読み取る画像読取装置において、
原稿が載置されるべき透明部材と、前記透明部材上に載置された原稿の画像を読み取る読取部と、を含む読取ユニットと、
前記読取ユニットに対して回動可能に設けられた原稿搬送ユニットであって、前記透明部材の上面が前記原稿搬送ユニットによって覆われる第１の位置と前記透明部材の上面が露出される第２の位置との間を回動可能な原稿搬送ユニットと、
を有し、
前記原稿搬送ユニットは、
原稿を搬送する搬送部と、
前記搬送部を駆動するモータと、
前記画像読取装置の外部から無線通信によって情報を受信する通信ユニットが取り付けられる取付部と、
を備え、
前記原稿搬送ユニットが前記第１の位置に位置している状態において、前記原稿搬送ユニットの回動軸に垂直且つ前記原稿が載置される前記透明部材の面に平行な第１方向において、前記原稿搬送ユニットの中心は、前記モータが設けられる位置と前記取付部が設けられる位置との間に位置していることを特徴とする。
【手続補正５】
【補正対象書類名】明細書
【補正対象項目名】０００７
【補正方法】変更
【補正の内容】
【０００７】
本発明によれば、原稿の画像の読取不良が発生することを抑制することができる。